(57)【要約】【課題】口蓋取付部が様々な方向から力を受けても脱落しない歯列矯正器具を提供する。【解決手段】口腔内の上顎に着脱可能に固定される歯列矯正器具１であって、前記上顎に設けられた突起に固定される口蓋取付部２と、超弾性合金により構成され、前記口蓋取付部２から延在すると共に端部が歯に固定されるアーム部３とを備え、前記口蓋取付部２は、前記突起を挟持するクリップ２ａと、咽頭方向に向けて突出すると共に前記突起に固定されるフック２ｂとを有する。【選択図】図３
2020146224.tif 000002
【特許請求の範囲】
【請求項１】
口腔内の上顎に着脱可能に固定される歯列矯正器具であって、
前記上顎に設けられた突起に固定される口蓋取付部と、
超弾性合金により構成され、前記口蓋取付部から延在すると共に端部が歯に固定されるアーム部とを備え、
前記口蓋取付部は、
前記突起を挟持するクリップと、
咽頭方向に向けて突出すると共に前記突起に固定されるフックとを有する
ことを特徴とする歯列矯正器具。
【請求項２】
前記アーム部は、前記口蓋取付部から口唇側に傾斜した後に歯列方向へと延在することを特徴とする請求項１記載の歯列矯正器具。
【請求項３】
前記アーム部は、口唇側または咽頭側に向けて屈曲されたループを有することを特徴とする請求項１または２記載の歯列矯正器具。
【請求項４】
前記アーム部は、２以上の前記ループを有し、前記口蓋取付部に最も近いループが咽頭側に向けて屈曲されていることを特徴とする請求項３記載の歯列矯正器具。
【請求項５】
前記アーム部は、断面形状が矩形であることを特徴とする請求項１〜４のいずれか一項に記載の歯列矯正器具。
【発明の詳細な説明】
【技術分野】
【０００１】
本発明は、歯列矯正器具に関するものである。
【背景技術】
【０００２】
例えば、特許文献１においては、上顎に取り付けられると共に歯列を矯正するアームを支持する歯科矯正用口蓋側固定装置（口蓋取付部）が開示されている。このような歯科矯正用口蓋側固定装置は、上顎に設けられたインプラント（突起）に対して固定されている。また、歯科矯正用口蓋側固定装置の両側にはアームが設けられ、アームの先端が歯列に対して固定されている。このアームは、弾性力により歯列に対して力を加えて、歯列を任意の方向へと移動させる。
【先行技術文献】
【特許文献】
【０００３】
【特許文献１】特許第５６６０５０７号公報
【発明の概要】
【発明が解決しようとする課題】
【０００４】
このような口蓋取付部とアームとを有する歯列矯正器具において、例えば一方側の臼歯を遠心（口蓋取付部から離れる方向）に、他方側の臼歯を近心（口蓋取付部に近づく方向）へと移動させる等、複雑な方向へと歯列を移動させる場合がある。しかしながら、このような場合に、口蓋取付部には常にモーメントが発生するため、突起を中心として口蓋取付部が回転し、歯列矯正器具が突起から脱落してしまう可能性がある。また、両側の臼歯を近心方向へと移動させる場合についても、反力により歯列矯正器具が脱落する場合がある。
【０００５】
本発明は、上述する問題点に鑑みてなされたもので、口蓋取付部が様々な方向から力を受けても脱落しない歯列矯正器具を提供することを目的とする。
【課題を解決するための手段】
【０００６】
上記目的を達成するために、本発明では、第１の手段として、口腔内の上顎に着脱可能に固定される歯列矯正器具であって、前記上顎に設けられた突起に固定される口蓋取付部と、超弾性合金により構成され、前記口蓋取付部から延在すると共に端部が歯に固定されるアーム部とを備え、前記口蓋取付部は、前記突起を挟持するクリップと、咽頭方向に向けて突出すると共に前記突起に固定されるフックとを有する、という構成を採用する。
【０００７】
第２の手段として、上記第１の手段において、前記アーム部は、前記口蓋取付部から口唇側に傾斜した後に歯列方向へと延在する、という構成を採用する。
【０００８】
第３の手段として、上記第１または２の手段において、前記アーム部は、口唇側または咽頭側に向けて屈曲されたループを有する、という構成を採用する。
【０００９】
第４の手段として、上記第３の手段において、前記アーム部は、２以上の前記ループを有し、前記口蓋取付部に最も近いループが咽頭側に向けて屈曲されているという構成を採用する。
【００１０】
第５の手段として、上記第１〜４のいずれかの手段において、前記アーム部は、断面形状が矩形であるという構成を採用する。
【発明の効果】
【００１１】
本発明によれば、クリップにより突起を挟持した上で、フックと突起とを固定している。したがって、口蓋取付部２が２か所において突起と固定されることで、回転方向に力を受ける場合や、両側の臼歯を近心方向へと移動させる場合についても、上顎から脱落することがない。
【図面の簡単な説明】
【００１２】
【図１】本発明の第１実施形態に係る歯列矯正器具の正面図である。
【図２】アーム部の断面図である。
【図３】本発明の第１実施形態に係る歯列矯正器具を歯列に対して取り付けた模式図である。
【図４】本発明の第２実施形態に係る歯列矯正器具の正面図である。
【図５】本発明の第２実施形態に係る歯列矯正器具を歯列に対して取り付けた模式図である。
【発明を実施するための形態】
【００１３】
［第１実施形態］
以下、図１〜３を参照して、本発明に係る歯列矯正器具の第１実施形態について説明する。
本実施形態に係る歯列矯正器具１は、超弾性部材をレーザにより切り出すことで形成されており、図１に示すように、口蓋取付部２と、アーム部３とが一体として構成されている。このような歯列矯正器具１は、図３に示すように、上顎骨に取り付けられると共に口唇側と咽頭側とに配される２つのインプラントＡ、Ｂ（突起）に対して固定される器具である。
【００１４】
口蓋取付部２は、クリップ２ａと、フック２ｂとを有している。クリップ２ａは、図３に示すように、歯列取り付け時に口唇側に突出するように設けられており、対称形状の一対の湾曲部により構成されている。このクリップ２ａは、歯列に対して取り付けられていない状態において、２つの湾曲部の端部が接触した状態とされている。また、クリップ２ａは、図３に示すように、上顎骨に設けられた２つのインプラントＡ、Ｂを挟持した状態で、ゴム等により２つの湾曲部の端部が括られて固定されている。
【００１５】
フック２ｂは、クリップ２ａの端部と反対側の部位から突出して設けられている。すなわち、フック２ｂは、歯列取り付け時に咽頭側に向けて突出するように設けられる。このフック２ｂは、歯列取り付け時において、咽頭側のインプラントＢと結紮されて固定される。これにより、フック２ｂは、歯列矯正器具１がインプラントＡ、Ｂを中心として回転することを防止している。
【００１６】
アーム部３は、図１に示すように、口蓋取付部２から２方向に向けて延在する長尺状の部材であり、図３に示すように、端部が任意の方向へと屈曲されている。２本のアーム部３は、一直線上に設けられず、口唇側において１８０度未満の角度を形成するように配されている。すなわち、２本のアーム部３は、歯列取り付け時において、いずれも口蓋取付部２から口唇側へと僅かに傾斜した後に、歯列へと延在している。このアーム部３は、図３に示すように、臼歯に設けられるブラケット維持部Ｃに対して端部が挿入されることで、歯に対して固定された状態とされる。また、アーム部３は、図２に示すように、断面形状が矩形とされている。
【００１７】
このような歯列矯正器具１は、インプラントＡ、Ｂに固定された口蓋取付部２を支点として、弾性力によりアーム部３に力を加えられる。これにより、ブラケット維持部Ｃが設けられた歯は、アーム部３から力を受けて移動する。本実施形態に係る歯列矯正器具１は、図３のように歯列に対して取り付けられる場合、ブラケット維持部Ｃが設けられた２本の臼歯に対して、アーム部３の長さが調節された状態で設けられる。これにより、歯列矯正器具１は、アーム部３の元の形状へと戻る弾性力により、一方を遠心（口蓋取付部２から遠ざかる方向）へと向けて移動し、他方を近心（口蓋取付部２へと近づく方向）へと向けて移動させる。一方のアーム部３と他方のアーム部３とは、一直線上に設けられておらず、１８０°未満の角度を形成している。これにより、歯列矯正器具１には、モーメントが生じ、口蓋取付部２を中心として回転方向へと力が加わった状態となる。
【００１８】
このとき、口蓋取付部２においては、フック２ｂと咽頭側のインプラントＢとが結紮された状態で固定されている。したがって、口蓋取付部２は、インプラントＡ、Ｂに対して２か所で固定されており、回転を防止することができる。これにより、歯列矯正器具１は、歯列取り付け時において、口蓋取付部２が様々な方向から力を受けても脱落しない。
【００１９】
さらに、クリップ２ａの端部を括る紐と、インプラントＢとフック２ｂとを結紮するゴムとを解くことにより、歯列矯正器具１は、歯列から取り外すことが可能である。したがって、歯列矯正器具１は、口腔内から着脱可能であり、歯列の矯正の状態に応じた調整が容易である。
【００２０】
さらに、本実施形態においては、アーム部３が口唇側へと傾斜した後に歯列方向へと延在している。これにより、アーム部３を適切に臼歯へと案内することが可能である。したがって、歯列矯正器具１は、口腔内において適切に配置される。
【００２１】
また、本実施形態においては、歯列矯正器具１は、アーム部３の断面が図２に示すように矩形形状である。これにより、アーム部３の端部が臼歯に設けられたブラケット維持部Ｃに挿入された際に、長手方向を軸として回転することを阻止できるため、アーム部３に捻れ方向の力が加わることを防止できる。
【００２２】
また、本実施形態においては、超弾性合金を用いて歯列矯正器具１を作製している。これにより、歯列矯正器具１の弾性力は、臼歯に大きな損傷を与えることなく臼歯を移動可能とする程度に調節可能である。
【００２３】
［第２実施形態］
上記第１実施形態の変形例を第２実施形態として、図４、５を参照して説明する。なお、第１実施形態と同一の構成については符号を同一とし、説明を省略する。
【００２４】
本実施形態に係る歯列矯正器具１Ａは、図４、５に示すように、アーム部３に代わり、アーム部３Ａを有している。アーム部３Ａは、口蓋取付部２の近傍において、３つのループ３ａが形成されている。ループ３ａは、口蓋取付部２に最も近い側から、口唇側、咽頭側、口唇側へと３回湾曲された部位である。このループ３ａは、歯列取り付け時において、作業者により湾曲量が調節された上で取り付けられる。
【００２５】
このような歯列矯正器具１Ａは、歯列に取り付けられる際に、作業者によりループ３ａの湾曲量が調節されることで、アーム部３Ａの端部からブラケット維持部Ｃに伝わる力の方向及び強さが調整される。これにより、アーム部３Ａを用いて矯正を行う際の方向や強さの微調整が容易となる。
【００２６】
このような本実施形態の歯列矯正器具１Ａにおいても、口蓋取付部２においては、フック２ｂと咽頭側のインプラントＢとが結紮された状態で固定されている。したがって、口蓋取付部２は、インプラントＡ、Ｂに対して２か所で固定されており、回転を防止することができる。これにより、歯列矯正器具１Ａは、歯列取り付け時において、口蓋取付部２が様々な方向から力を受けても脱落しない。
【００２７】
また、歯列矯正器具１Ａは、ループ３ａが、口蓋取付部２に最も近い部位が、咽頭側に向けて湾曲されている。これにより、口蓋取付部２に対してループ３ａが急峻に屈曲されることがなく、口蓋取付部２とアーム部３Ａとの接続部分に大きな応力が発生することを防止できる。
【００２８】
以上、図面を参照しながら本発明の好適な実施形態について説明したが、本発明は上記実施形態に限定されるものではない。上述した実施形態において示した各構成部材の諸形状や組み合わせ等は一例であって、本発明の趣旨から逸脱しない範囲において設計要求等に基づき種々変更可能である。
【００２９】
上記実施形態においては、アーム部３、３Ａは、口蓋取付部２の両側から２本設けられるものとしたが、本発明はこれに限定されない。例えば、片側の臼歯のみを矯正したい場合には、口蓋取付部２の片側にのみアーム部３またはアーム部３Ａが設けられるものとしてもよい。このような場合においても、片側のアーム部３、３Ａのみにおいて弾性力が生じるため、歯列矯正器具が回転しやすくなる。したがって、フック２ｂとインプラントＢとを結紮することで、歯列矯正器具の脱落を防止できる。
【００３０】
また、アーム部３、３Ａは、口蓋取付部２側において径が太く、ブラケット維持部Ｃ側において径が細く設定されるものとしてもよい。これにより、大きな応力が発生しやすい口蓋取付部２とアーム部３Ａとの接続部分において、アーム部３、３Ａの強度を担保することが可能となる。
【００３１】
また、ループ３ａの形状は、上記第２実施形態に限定されるものではない。ループ３ａの口唇−咽頭方向の大きさは、図４、５に示すものよりも小さくすることも可能である。ループ３ａをより小さくした場合、被験者が口内に違和感を覚えにくくなる。
【００３２】
また、上記実施形態においては、口蓋取付部２とアーム部３とを一体として超弾性合金により形成するものとしたが、本発明はこれに限定されない。例えば、歯列矯正器具１は、ステンレスにより構成されるものとしてもよい。また、口蓋取付部２は硬質の金属で構成し、アーム部３を超弾性合金により構成するものとしてもよい。
【符号の説明】
【００３３】
１……歯列矯正器具
１Ａ……歯列矯正器具
２……口蓋取付部
２ａ……クリップ
２ｂ……フック
３……アーム部
３ａ……ループ
３Ａ……アーム部
Ａ……インプラント
Ｂ……インプラント
Ｃ……ブラケット維持部
【図１】
2020146224.tif 000003
【図２】
2020146224.tif 000004
【図３】
2020146224.tif 000005
【図４】
2020146224.tif 000006
【図５】
2020146224.tif 000007